(57)【特許請求の範囲】
【請求項１】
略筒形状の被収納体を取付部材を介して箱体内に収納する包装構造であって、前記取付部材は、前記被収納体を配設するための少なくとも２つの傾斜面と、前記各傾斜面にそれぞれ形成され前記被収納体を固定する孔部と、前記各孔部を部分的に覆うように前記各傾斜面にそれぞれ形成され前記被収納体の内壁と当接して前記被収納体を支持する支持部と、を備えてなることを特徴とする包装構造。
【請求項２】
前記箱体を透明材料によって構成するとともに、少なくとも１つの前記傾斜面に、前記被収納体に関する情報を表示してなることを特徴とする請求項１に記載の包装構造。
【請求項３】
前記箱体を透明材料によって構成するとともに、前記取付部材は、少なくとも１つの前記傾斜面の端部から延設する平面を備え、前記平面に、前記被収納体に関する情報を表示してなることを特徴とする請求項１または請求項２に記載の包装構造。
【請求項４】
少なくとも１つの前記傾斜面と前記箱体の平面との間に、前記被収納体の補助部材が収納される収納部を設けてなることを特徴とする請求項１から請求項３の何れかに記載の包装構造。
【請求項５】
前記取付部材は、紙材から一体に形成されてなることを特徴とする請求項１から請求項４の何れかに記載の包装構造。
【請求項６】
前記箱体を透明材料によって構成するとともに、前記被収納体をワンパッケージ型の車両用計器のバイザーとし、前記傾斜面の前記バイザーの孔部と対向する個所に、前記バイザーを取り付ける前記車両用計器の絵または写真を備えてなることを特徴とする請求項１から請求項５の何れかに記載の包装構造。
【発明の詳細な説明】
【０００１】
【発明の属する技術分野】
本発明は、包装構造に関するものであり、特に、被収納体を取付部材を介して箱体内に収納する包装構造に関するものである。
【０００２】
【従来の技術】
従来、車両用計器として、単一のケース体に計器本体を収納し、前記計器本体に装着される指針を、前記ケース体の開口部に配設される表示板上において回動させることで車両運転者に車両の１つの状態を表示する、ワンパッケージ型の補助用計器が知られており、かかる補助用計器としては、回転計，吸気圧計，油温計，及び排気温度計等がある。
【０００３】
前記補助用計器は、例えば車両のダッシュボード上の運転席前方に取り付けられるものであるが、特に夜間時において照明光によって車両のフロントガラスに前記補助用計器の虚像が写り込んでしまうという問題があった。
【０００４】
このような問題を解決するものとして、図５に示すようなフロントガラスへの光の反射を防止する略筒状のバイザーＡが提案されている。
【０００５】
【発明が解決しようとする課題】
かかるバイザーＡを被収納体とする包装構造としては、透明材料のポリエチレンテレフタレート（ＰＥＴ）等からなり成型によって前記バイザー形状に合うように形作られた収納部を有する収納部材と、紙材等からなる平面部材とを前記収納部の開口部を塞ぐように重ね合わせることでバイザーＡを包装する構成や、バイザーＡが配設される１つの傾斜面を有する取付部材を備え、バイザーＡを針金やゴム等からなる固定部材によって前記取付部材に固定し、前記取付部材を所定の箱体に収納してバイザーＡを包装する構成が考えられる。
【０００６】
しかしながら、前者の構成においては、前記収納部とバイザーＡとの間に隙間が生じるために搬送中等において前記収納部材とバイザーＡとが摩擦し、バイザーＡに傷が生じる恐れがあり、後者の構成においては、バイザーＡを固定するために特別の前記固定部材を必要とするとともに、バイザーＡを包装するための作業工数が増えることによりコストが高くなるという問題点があった。
【０００７】
本発明は、上記問題点を鑑みてなされたものであり、被収納体に傷を生じさせることを防止し、また、容易かつ安価に被収納体を固定することが可能な包装構造を提供することを目的とする。
【０００８】
【課題を解決するための手段】
本発明は、前記課題を解決するために、略筒形状の被収納体を取付部材を介して箱体内に収納する包装構造であって、前記取付部材は、前記被収納体を配設するための少なくとも２つの傾斜面と、前記各傾斜面にそれぞれ形成され前記被収納体を固定する孔部と、前記各孔部を部分的に覆うように前記各傾斜面にそれぞれ形成され前記被収納体の内壁と当接して前記被収納体を支持する支持部と、を備えてなることを特徴とする。
【０００９】
また、前記箱体を透明材料によって構成するとともに、少なくとも１つの前記傾斜面に、前記被収納体に関する情報を表示してなることを特徴とする。
【００１０】
また、前記箱体を透明材料によって構成するとともに、前記取付部材は、少なくとも１つの前記傾斜面の端部から延設する平面を備え、前記平面に、前記被収納体に関する情報を表示してなることを特徴とする。
【００１１】
また、少なくとも１つの前記傾斜面と前記箱体の平面との間に、前記被収納体の補助部材が収納される収納部を設けてなることを特徴とする。
【００１２】
また、前記取付部材は、紙材から一体に形成されてなることを特徴とする。
【００１４】
また、前記箱体を透明材料によって構成するとともに、前記被収納体をワンパッケージ型の車両用計器のバイザーとし、前記傾斜面の前記バイザーの孔部と対向する個所に、前記バイザーを取り付ける前記車両用計器の絵または写真を備えてなることを特徴とする。
【００１５】
【発明の実施の形態】
以下、添付の図面に基づいて、本発明をワンパッケージ型の補助用計器（車両用計器）のバイザーを被収納体とした包装構造に適用した実施の形態について説明する。尚、前述の従来の技術と同一若しくは相当個所には同一符号を付してその詳細な説明を省く。
【００１６】
かかる包装構造は、図１に示すように、箱体１と取付部材２とからなり、バイザーＡを収納するものである。
【００１７】
箱体１は、例えば透明材料のＰＥＴからなり、図２に示すように各平面である蓋部１ａ，側壁部１ｂ，１ｃ，１ｄ，１ｅ及び底部１ｆとによって形成される収納部１ｇに取付部材２を介してバイザーＡを収納するものである。また、蓋部１ａは開放可能な構成となっており、蓋部１ａを開放して収納部１ｇに取付部材２及びバイザーＡを収納する。
【００１８】
取付部材２は、例えば紙材から一体に形成されるものであり、図１及び図３に示すように箱体１の収納部１ｇ内において所定の角度をもって傾斜する第一，第二の傾斜面２ａ，２ｂを備えるもので、一方の端部が互いに略直角に交わる略Ｌ字状をなしている。また、取付部材２は、第一，第二の傾斜面２ａ，２ｂにそれぞれ孔部２ｃ，２ｄと、孔部２ｃ，２ｄを部分的に覆う支持部２ｅ，２ｆとが形成されている。また、取付部材２は、第一の傾斜面２ａに商品名，製造番号あるいは価格等のバイザーＡに関する情報（図示しない）が表示されている。また取付部材２は、第一，第二の傾斜面２ａ，２ｂの他方の端部から箱体１の側壁部１ｃ，１ｅに沿うように下方方向へ延設される平面２ｇ，２ｈを備え、平面２ｇ，２ｈに、第一の傾斜面２ａ同様に、前記情報が表示されている。また、取付部材２は、第二の傾斜面２ｂ及び平面２ｈと箱体１の平面の１つである底部１ｆとの間に、バイザーＡの補助部材（図示しない）が収納される収納部２ｉを構成する。また、取付部材２は、第一の傾斜面２ａのバイザーＡの孔部ａと対向する個所に、バイザーＡが取り付けられる車両用計器の絵（または写真）Ｂを備える。
【００１９】
以上の構成により前記包装構造が構成されている。前記包装構造は、図１及び図４に示すように、バイザーＡを取付部材２の孔部２ｃ，２ｄに嵌め込んで位置を固定するとともに、バイザーＡの内壁を支持部２ｅ，２ｆと当接させてバイザーＡを支持することでバイザーＡが孔部２ｃ，２ｄから外れることを防止する。さらにバイザーＡが取り付けられた取付部材２を箱体１に収納してバイザーＡを包装する。
【００２０】
前記包装構造は、取付部材２に、バイザーＡを配設するための第一，第二の傾斜面２ａ，２ｂと、第一，第二の傾斜面２ａ，２ｂにそれぞれ形成されバイザーＡを固定する孔部２ｃ，２ｄと、孔部２ｃ，２ｄを部分的に覆うように第一，第二の傾斜面２ａ，２ｂにそれぞれ形成されバイザーＡを支持する支持部２ｅ，２ｆと、を備えることにより、第一，第二の傾斜面２ａ，２ｂ間に外的要因による振動を抑制可能な状態でバイザーＡを配設固定することが可能であるため、バイザーＡの第一，第二の傾斜面２ａ，２ｂに対する摩擦を防止できることからバイザーＡに傷を生じさせることを防ぐことができる。特別の固定部材を必要としないことから容易かつ安価にバイザーＡを固定することが可能となる。
【００２１】
また、前記包装構造は、箱体１を透明材料によって構成するとともに、取付部材２の第一の傾斜面２ａ及び平面２ｇ，２ｈに、バイザーＡに関する前記情報を表示することにより、よりデザイン性を高め、購入者に容易にバイザーＡに関する情報を認識させることが可能となる。
【００２２】
また、前記包装構造は、取付部材２の第二の傾斜面２ｂ及び平面２ｈと箱体１の底部１ｆとの間に、バイザーＡの前記補助部材が収納される収納部２ｉを設けることにより、より収納性を向上させ、バイザーＡの包装構造においての利便性を向上させることが可能となる。
【００２３】
また、前記包装構造は、収納部材２を紙材から一体に形成することにより、包装構造における部品点数を低減させることができ、コストを低減させることが可能となる。
【００２４】
また、前記包装構造は、箱体１を透明材料によって構成するとともに、第一の傾斜面２ａのバイザーＡの孔部ａと対向する個所に、バイザーＡを取り付ける前記車両用計器の絵（または写真）Ｂを備えることにより、バイザーＡが前記車両用計器に取り付けられる状態を演出することができ、購入者の購入意欲の向上を図ることができる。
【００２５】
尚、本発明の実施の形態においては、被収納体は、ワンパッケージ型の補助用計器用のバイザーとする構成であったが、請求項１から請求項６に係る本発明においては、被収納体は本発明の実施の形態に限定されるものではない。
【００２６】
また、本発明の実施の形態においては、取付部材２は、箱体１の収納部１ｇ内において所定の角度をもって傾斜する第一，第二の傾斜面２ａ，２ｂを備える構成であったが、本発明においては、傾斜面は少なくとも２つ以上であればよく、また、傾斜面の方向は本発明の実施の形態に限定されるものではない。
【００２７】
また、本発明の実施の形態においては、取付部材２は、第二の傾斜面２ｂ及び平面２ｈと箱体１の平面の１つである底部１ｆとの間に、バイザーＡの前記補助部材が収納される収納部２ｉを備える構成であったが、本発明においては、収納部は、少なくとも１つの傾斜面と箱体の平面との間に形成される構成であればよい。
【００２８】
【発明の効果】
本発明は、包装構造に関するものであり、特に、被収納体を取付部材を介して箱体内に収納する包装構造に関し、被包装体に傷を生じさせることを防止し、また、容易かつ安価に前記被包装体を固定することが可能となる。
【図面の簡単な説明】
【図１】  本発明の実施の形態である包装構造を示す斜視図。
【図２】  同上包装構造の箱体を示す斜視図。
【図３】  同上包装構造の取付部材を示す斜視図。
【図４】  同上包装構造を示す断面図。
【図５】  ワンパッケージ型の補助用計器用のバイザーを示す斜視図。
【符号の説明】
【図１】
0003674040.tif 000002
【図２】
0003674040.tif 000003
【図３】
0003674040.tif 000004
【図４】
0003674040.tif 000005
【図５】
0003674040.tif 000006